(57)【要約】      （修正有）【課題】大・中判カメラをデジタルカメラ化することができるカメラ取付装置を提供する。【解決手段】レンズとカメラ本体ＳＴ１とからなりレンズがカメラ本体ＳＴ１に着脱可能であるレンズ交換式カメラＳＴのカメラ本体ＳＴ１を、国際規格のフィルムホルダを装着可能な大・中判カメラＶＣのフィルム装着部ＶＣ２に取り付けるカメラ取付装置１００であって、大・中判カメラＶＣのレンズＶＣ１を通過した光が通る開口を有する取付部１を備えてフィルム装着部ＶＣ２に着脱可能に装着し得る国際規格のフィルムホルダと同外形寸法の基板２と、基板２の取付部１に軸線を一致させて取り付けられてカメラ本体ＳＴ１を基板２に取り付ける環状のボディマウント部材３とからなる。【選択図】図２
0003113512.tif 000002
【実用新案登録請求の範囲】
【請求項１】
レンズとカメラ本体とからなりレンズがカメラ本体に着脱可能であるレンズ交換式カメラのカメラ本体を、国際規格のフィルムホルダを装着可能な大・中判カメラのフィルム装着部に取り付けるカメラ取付装置であって、大・中判カメラのレンズを通過した光が通る開口を有する取付部を備えてフィルム装着部に着脱可能に装着し得る国際規格のフィルムホルダと同外形寸法の基板と、基板の取付部に軸線を一致させて取り付けられてカメラ本体を基板に取り付ける環状のボディマウント部材とからなるカメラ取付装置。
【請求項２】
基板が、大・中判カメラに取り付けられた際に、その上下の縁部にフィルム装着部の取付構造に対応して形成される段部を備える請求項１記載のカメラ取付装置。
【請求項３】
取付部が、その内面に雌ねじ部を備える請求項１又は２記載のカメラ取付装置。
【考案の詳細な説明】
【技術分野】
【０００１】
本発明は、レンズの交換が可能な一眼レフレックスカメラなどのレンズ交換式カメラのカメラ本体を、ビューカメラなどの大・中判カメラに取り付けるカメラ取付装置に関するものである。
【背景技術】
【０００２】
従来、例えば特許文献１に記載のもののように、ビューカメラを用いて、撮影した画像を例えばパーソナルコンピュータにおいて画像処理できるように、ビューカメラにＣＣＤ（電荷結合素子）を取り付けるためのアダプタが知られている。この特許文献１のものでは、ビューカメラのカメラ本体の後部に、カメラ本体内に光が入らないように構成した枠体にＣＣＤを取り付けて、そのＣＣＤを取り付けた枠体からなるＣＣＤバックを着脱可能にカメラ本体に固定することにより、ＣＣＤにより撮影した画像をパーソナルコンピュータにより確認し得るようにしたものである。
【特許文献１】特開平１０−５１６７０号公報
【考案の開示】
【考案が解決しようとする課題】
【０００３】
ところが、このような構成のものであると、ビューカメラの持つ各種のあおり機能を駆使して現像の必要なフィルムを使用することなく写真を撮影することができ、撮影した画像をデジタル画像処理により加工したりすることはできるものの、撮影の際に必ずパーソナルコンピュータが必要であり、室内以外での使用が困難であった。
【０００４】
そこで本考案は、このような不具合を解消することを目的としている。
【課題を解決するための手段】
【０００５】
すなわち、本考案のカメラ取付装置は、レンズとカメラ本体とからなりレンズがカメラ本体に着脱可能であるレンズ交換式カメラのカメラ本体を、国際規格のフィルムホルダを装着可能な大・中判カメラのフィルム装着部に取り付けるカメラ取付装置であって、大・中判カメラのレンズを通過した光が通る開口を有する取付部を備えてフィルム装着部に着脱可能に装着し得る国際規格のフィルムホルダと同外形寸法の基板と、基板の取付部に軸線を一致させて取り付けられてカメラ本体を基板に取り付ける環状のボディマウント部材とからなることを特徴とする。
【０００６】
本発明において、大・中判カメラとは、レンズと蛇腹とレンズとは背向する蛇腹の端部に形成されるフィルム装着部とを備え、フィルム装着部に装着されて撮影の際に取り外し可能なピントグラスに映し出された画像を確認してピントを合わせ、その後にピントグラスに代えて６ｃｍ×６ｃｍ、６ｃｍ×７ｃｍ、６ｃｍ×９ｃｍなどのロールフィルム、及び４インチ×５インチなどの大型のシートフィルム（カットフィルム）を装着したフィルムホルダをフィルム装着部に装着して撮影を行うカメラを指すもので、比較的大型なビューカメラと、折り畳んで持ち運びを可能としているフィールドカメラとを含むものである。
【０００７】
また、レンズ交換式カメラとしては、例えばフィルムを使用する一眼レフレックス方式のフィルムカメラや、フィルムに代えてＣＣＤにより画像を電気信号に変換して静止画をデジタルデータにして記録する一眼レフレックス方式のデジタルカメラを含むものである。
【０００８】
このような構成によれば、国際規格のフィルムホルダと同外形寸法である基板を大・中判カメラのフィルム装着部に装着し、その状態で基板に取り付けられたボディマウント部材に、レンズ交換式カメラのレンズを取り外したカメラ本体を取り付けることにより、大・中判カメラにレンズ交換式カメラを取り付けることになる。そして、基板の取付部の開口を介して大・中判カメラのレンズを通過した光がカメラ本体に入り、フィルムホルダを用いることなくカメラ本体により写真を撮影することが可能となる。
【０００９】
基板の大・中判カメラへの装着を容易にするためには、基板が、大・中判カメラに取り付けられた際に、その上下の縁部にフィルム装着部の取付構造に対応して形成される段部を備えるものが好ましい。
【００１０】
大・中判カメラのレンズを通過した光の乱反射を防止したり、フランジバックの調整を可能とするためには、取付部が、その内面に雌ねじ部を備えるものが好ましい。
【考案の効果】
【００１１】
本考案は、以上説明したような構成であり、大・中判カメラを利用して、大型カメラではない巻き取り式のフィルムを使用するレンズ交換式カメラやデジタル媒体を使用するレンズ交換式のデジタルカメラにより撮影を行うことができる。この場合に、これらのレンズ交換式カメラにおいて、大・中判カメラでは一般的な機能であるあおり機能を活用することができ、通常のレンズ交換式カメラでは特殊なレンズなどを使用しない限り撮影できない各種の写真を撮影することができる。
【００１２】
加えて、基板の大きさを大・中判カメラにおける国際規格のフィルムホルダと同外形寸法にしているので、国際規格のフィルムホルダを使用する各種の異なる大・中判カメラに対して同じにレンズ交換式カメラのカメラ本体を取り付けることができ、汎用性を向上させることができる。
【考案を実施するための最良の形態】
【００１３】
以下、本考案の一実施形態を、図面を参照して説明する。
【００１４】
図１に示すこの実施形態におけるカメラ取付装置１００は、レンズとカメラ本体ＳＴ１（図２に示す）とからなりレンズがカメラ本体ＳＴ１に着脱可能であるレンズ交換式カメラＳＴのカメラ本体ＳＴ１を、国際規格のフィルムホルダを装着可能な大・中判カメラＶＣに取り付けられるようにするものである。カメラ取付装置１００は、大・中判カメラＶＣのレンズＶＣ１を通過した光が通る開口を有する取付部１を備えて、大・中判カメラＶＣのフィルム装着部ＶＣ２に着脱可能に装着し得る国際規格のフィルムホルダと同外形寸法の基板２と、レンズ交換式カメラＳＴのカメラ本体ＳＴ１を基板２に取り付ける環状のボディマウント部材３とを備えている。
【００１５】
大・中判カメラＶＣは、例えば、概略的には、レンズＶＣ１、蛇腹ＶＣ３及び国際規格のフィルムホルダを取り付けるフィルム装着部ＶＣ２を備え、モノレールに取り付けられて蛇腹ＶＣ３を伸縮し得るもので、この分野でよく知られたビューカメラである。レンズ交換式カメラＳＴは、例えば一眼レフレックス方式のデジタルカメラである。それゆえに、これらビューカメラ及びデジタルカメラの詳細については説明を省略する。
【００１６】
基板２は、図３及び図４に示すように、その表面の中央にボディマウント部材３のための取付部１を有し、上下の縁部に段部２１を有するとともに、その裏面の一方の側端部の近傍に凸条２２を有している。取付部１は、円錐台形状部分１１とその円錐台形状部分１１の小径側の端部に形成される円筒形状部分１２とからなり、基板２の表面から突出した形状に形成してある。取付部１は、基板２の裏面に開口する第一開口１３と、第一開口１３の中心を通る軸線の延長線上に中心があり、円筒形状部分１２の端部に開口する第二開口１４とを備えている。そして、大・中判カメラＶＣのレンズＶＣ１を通過したより多くの光を後述するカメラ本体ＳＴ１に取り入れるために、第一開口１３は第二開口１４に比べて大径にしてある。
【００１７】
また、第二開口１３の外周つまり円筒形状部分１２の外周には、ボディマウント部材３を取り付ける固定ネジの先端が接触する外溝１５が形成してある。外溝１５は、固定ねじを締めつけた際にその先端を所定位置に案内するように第一開口１３に向かって狭くなるテーパ面１５ａを備えている。これに加えて、円筒形状部分１２の内周には、乱反射防止やフランジバックの調整のための修正レンズを取り付けるためなどの雌ねじ部１６が形成してある。なお、外溝１５は、その断面形状がチャネル形状であるもの、あるいはＶ字形状であるものであってもよい。
【００１８】
基板２の長手方向に延びる段部２１は、基板２の塗装後に形成されるものである。すなわち基板２は、光の反射を防止するために取付部１の内側を含めてその全体を、黒色により塗装される。そして塗装を完了した基板２に、基板２の表面の上下の縁部の全長にわたって他の部分より低く段差のついた段部２１を形成する。この段部２１は、フィルム装着部ＶＣ２の溝形状に対応して形成されるもので、このように塗装後に段部２１を形成することにより基板２の素材の金属が露出するものとなる。このように、段部２１を塗装しない構成とすることにより、フィルム装着部ＶＣ２への装着と取り外しとを繰り返しても段部２１の傷などを目立たなくすることができる。
【００１９】
基板２の裏面に形成する凸条２２は、基板２の短辺に並行であり、上下の縁部に達する長さを有するものである。この凸条２２は、基板２をフィルム装着部ＶＣ２に装着する場合に、装着方向への過剰な移動を禁止するもので、フィルム装着部ＶＣ２の所定位置に基板２を位置させるためのものである。
【００２０】
ボディマウント部材３は、図５に示すように、取付部１の円筒形状部分１２の長さにほぼ等しい長さを有する円環形状をしており、取り付けるレンズ交換式カメラＳＴのカメラ本体ＳＴ１のレンズマウントに対応する構造のものである。したがって、ボディマウント部材３は、この実施形態のようなバヨネット式のものやねじ込み式のものなど、使用しようとするレンズ交換式カメラＳＴのレンズマウントと対をなすものであり、使用するレンズ交換式カメラＳＴを交換する場合はボディマウント部材３も交換する。このようなボディマウント部材３は、基板２の取付部１の第二開口１４の中心を通る軸線に、それ自身の軸線を一致させて、つまり同軸線上に取り付けられる。ボディマウント部材３は、その側壁の例えば１２０°離れた三カ所に設けられた雌ねじ孔３１に雄ねじをねじ込み、その雄ねじの先端が取付部１の外溝１５に接触するまで締めることにより基板２に取り付けるものである。
【００２１】
このような構成において、基板２の取付部１にボディマウント部材３を上述したようにして取り付ける。すなわち、取付部１の円筒形状部分１２にボディマウント部材３を
その上面と円筒形状部分１２の上面とがほぼ面一になるようにあてがい、その後に三カ所の雌ねじ孔３１にねじ込まれ手いる雄ねじを締めつける。外溝１５はテーパ面１５ａを有しているので、取付用の雄ねじの先端はそのテーパ面１５ａに案内されて溝底の所定位置において止まる。したがって、ボディマウント部材３は、取付部１の円筒形状部分１２の所定位置に取り付く。
【００２２】
このようにして組み立てたカメラ取付装置１００を、大・中判カメラＶＣのフィルム装着部ＶＣ２に装着する。この装着は、大・中判カメラＶＣのピントグラスを取り外し、フィルムホルダを装着するのと同じに行うことができる。つまり、基板２の上下の段部２１をフィルム装着部ＶＣ２の溝に通し、基板２裏面の凸条２２がフィルム装着部ＶＣ２の縁に接触するまで移動させ、その位置でフィルムホルダを固定するための例えばクランプを操作して、カメラ取付装置１００を装着するものである。
【００２３】
この後、カメラ本体ＳＴ１のレンズマウントをボディマウント部材３に嵌め込んで、バヨネット式のものであればカメラ本体ＳＴ１を所定の角度回転させてカメラ本体ＳＴ１をカメラ取付装置１００に取り付ける。したがって、カメラ装着装置１００をフィルム装着部ＶＣ２に装着した状態において、フィルム装着部ＶＣ２の部分から外光が蛇腹ＶＣ３内に入ることはない。また、カメラ取付装置１００は、段部２１以外の表面が黒色で塗装がしてあるので、大・中判カメラＶＣのレンズＶＣ１を通過した光が、カメラ取付装置１００のところで乱反射することはない。このようにして取り付けたカメラ本体ＳＴ１のファインダとなる表示部において、撮影する画像を確認して撮影を行う。
【００２４】
このように、基板２の外形寸法が大・中判カメラＶＣの国際基準のフィルムホルダの大きさに一致しているので、種々の大・中判カメラＶＣにレンズ交換式カメラＳＴのカメラ本体ＳＴ１を装着することができ、汎用性に優れたものとなる。この場合に、基板２の取付部１にカメラ本体ＳＴ１のレンズマウントと対をなすボディマウント部材３を取り付けているので、工具などを用いることなくカメラ本体ＳＴ１を容易に、かつ迅速に大・中判カメラＶＣに取り付けることができる。しかも、ボディマウント部材３は、取付部１に対して取り外しが可能であるので、異なるカメラ本体ＳＴ１を使用する場合にも容易に対応することができる。
【００２５】
撮影に際しては、大・中判カメラＶＣの特徴であるあおり機能を活用することにより、いわゆる中ぼけのない写真や広範囲にひずみのない風景写真などを撮影することができる。この実施形態の場合、カメラ本体ＳＴ１がデジタルカメラのものであるので、大・中判カメラＶＣをデジタルカメラ化することができ、撮影した写真をデジタルデータとして記録することができる。したがって、例えばあおり機能を活用して、横（行）方向に三枚分、縦（列）方向に三枚分の写真を撮影し、合計九枚の写真をコンピュータ上で合成すれば、通常の大・中判カメラＶＣでも撮影が困難なような非常に広い範囲を撮影した写真を作成することができる。しかも合成前のそれぞれの写真は、デジタルカメラの画素数で決まる画質を保持しており、合成後の写真においてもその画質を保持するので、写真自体が大きくなっても画質が低下することがなく、高画質の写真を作成することができる。
【００２６】
また、取付部１の内面に雌ねじ部１６を設けているので、大・中判カメラＶＣのレンズＶＣ１を通過した光がこの部分で乱反射することを防止することができる。また、カメラ本体ＳＴ１を取り付ける際にカメラ本体ＳＴ１に例えばグリップなどの出っ張り部分がカメラ本体ＳＴ１の正面側にあるものでは、その出っ張り部分の高さに応じた部材を雌ねじ部１６に取り付けることにより、各種のカメラ本体形状に対応してカメラ本体ＳＴ１を取り付けることができる。あるいは、この雌ねじ部１６にレンズを取り付けることによりフランジバックが長くなった場合に光学的に短縮することができる。
【００２７】
しかも、この実施形態において説明したように、レンズ交換式カメラＳＴとしてデジタルカメラを用いることにより、従来のもののように、撮影に際してパーソナルコンピュータを必要としないので、機動性に富むものにすることができ、野外での撮影も行うことができるものである。
【００２８】
なお、基板における取付部の位置は、必ずしも上述の実施形態のように、基板の中央に位置する必要はなく、例えば図６に示すように、装着する大・中判カメラのうちの特には中版カメラの形状に応じて中央位置から変位するものであってよい。この場合、取付部２０１の位置は、基板２０２を大・中判カメラＶＣに装着した際に、あおり機能のための操作をしていない状態におけるレンズＶＣ１の光軸が第一開口２１３及び第二開口２１４の中心を通るように設定するものである。
【００２９】
その他、各部の具体的構成についても上記実施形態に限られるものではなく、本考案の趣旨を逸脱しない範囲で種々変形が可能である。
【図面の簡単な説明】
【００３０】
【図１】本考案の実施形態の分解斜視図。
【図２】同実施形態の使用状態を示す側面図。
【図３】同実施形態の一部を断面で示す正面図。
【図４】同実施形態の底面図。
【図５】同実施形態のボディマウント部材の斜視図。
【図６】本考案の他の実施形態の一部を断面で示す正面図。
【符号の説明】
【００３１】
１…取付部
２…基板
３…ボディマウント部材
ＶＣ…大・中判カメラ
ＳＴ…レンズ交換式カメラ
ＳＴ１…カメラ本体
ＶＣ２…フィルム装着部
【図１】
0003113512.tif 000003
【図２】
0003113512.tif 000004
【図３】
0003113512.tif 000005
【図４】
0003113512.tif 000006
【図５】
0003113512.tif 000007
【図６】
0003113512.tif 000008